(57)【特許請求の範囲】
【請求項１】
車両に設けられた異常検知装置から警告信号が出力されたとき、車両速度測定装置から出力される車両速度信号、エンジン状態監視装置から出力されるエンジン状況信号に基づき、車両の走行速度、エンジンの回転有無を判定する走行状況判定部と、
この走行状況判定部の判定結果に基づき、予め作成されている警告メッセージおよび対処メッセージの中から車両の走行速度、エンジンの回転有無に対応した最適な警告メッセージおよび対処メッセージを選択してテキスト形式で表示させる対処メッセージ作成部と、
を備えたことを特徴とする警報表示システム。
【請求項２】
請求項１に記載の警報表示システムにおいて、
前記走行状況判定部は、車両に設けられたエンジン冷却水の水量が規定の水量より低下し、エンジン冷却水測定装置から警告信号が出力されたとき、車両速度測定装置から出力される車両速度信号、エンジン状態監視装置から出力されるエンジン状況信号に基づき、車両の走行速度、エンジンの回転有無を判定し、
前記対処メッセージ作成部は、前記走行状況判定部の判定結果に基づき、車両の走行速度が規定の速度より高い場合、低い場合またはエンジンが停止している場合に応じて段階的に前記対処メッセージを変更する、
ことを特徴とする警報表示システム。
【請求項３】
請求項１に記載の警報表示システムにおいて、
前記走行状況判定部は、車両に設けられたブレーキオイルの油圧が規定の油圧より低下し、ブレーキ油圧測定装置から警告信号が出力されたとき、車両速度測定装置から出力される車両速度信号、エンジン状態監視装置から出力されるエンジン状況信号に基づき、車両の走行速度、エンジンの回転有無を判定し、
前記対処メッセージ作成部は、前記走行状況判定部の判定結果に基づき、車両の走行速度が規定の速度より高い場合、低い場合またはエンジンが停止している場合に応じて段階的に対処メッセージを変更する、
ことを特徴とする警報表示システム。
【請求項４】
請求項１に記載の警報表示システムにおいて、
前記走行状況判定部は、車両に設けられたエンジン冷却水の水温が規定の水温より高くなり、エンジン冷却水測定装置から警告信号が出力されたとき、車両速度測定装置から出力される車両速度信号、エンジン状態監視装置から出力されるエンジン状況信号に基づき、車両の走行速度、エンジンの回転有無を判定し、
前記対処メッセージ作成部は、前記走行状況判定部の判定結果に基づき、車両の走行速度が規定の速度より高い場合、低い場合またはエンジンが停止している場合に応じて段階的に対処メッセージを変更する、
ことを特徴とする警報表示システム。
【発明の詳細な説明】
【０００１】
【発明の属する技術分野】
本発明は、車両に何らかの異常が発生したとき、警報を出して運転者などに適切な処置を行なわせる警報表示システムに係わり、特に車両に何らかの異常が発生したとき、車両の状態に応じた最適な指示を出して、運転者に最適な処置を行なわせる警報表示システムに関する。
【０００２】
【従来の技術】
車両に何らかの異常が発生したとき、これを検知して、警報を出し、運転者などに適切な処置を行なわせる警報表示システムとして、従来、図７に示す警報表示システム１０１、図８に示す警報表示システム１１１、図９に示す警報表示システム１２１などが使用されている。
【０００３】
各警報表示システム１０１、１１１、１２１のうち、図７に示す警報表示システム１０１は、車両のエンジンに設けられた水量センサなどから出力される検出信号を取り込んでエンジン冷却水の水量が規定値より低くなったとき、エンジン冷却水異常を示す警報信号を発生するエンジン冷却水測定装置１０２と、車両の速度を測定して速度データを出力する車両速度測定装置１０３と、この車両速度測定装置１０３から出力される速度データ、エンジン冷却水測定装置１０２から出力される警報信号に基づき、エンジン冷却水の水量が規定の水量より低くなっているとき、これを運転者に知らせる表示パネル装置１０４とを備えている。
【０００４】
そして、エンジン冷却水測定装置１０２からエンジン冷却水の水量が規定の水量より低くなっていることを示す警報信号が出力されたとき、表示パネル装置１０４によって、ブザーから警告音を出して、運転者に注意を促しながら、警告ランプを点灯させて、エンジン冷却水の水量が規定の水量より、低くなっていることを知らせる。この後、車両速度測定装置１０３から出力される速度データの値が所定の値以下になるまで、停止ランプや減速ランプを点灯させて、運転者に減速操作を行なわせる。
【０００５】
また、図８に示す警報表示システム１１１は、車両のブレーキ装置に設けられた油圧センサなどから出力される検出信号を取り込んでブレーキオイルの圧力が規定値より低くなったとき、ブレーキ油圧異常を示す警報信号を発生するブレーキ油圧測定装置１１２と、車両の速度を測定して速度データを出力する車両速度測定装置１１３と、この車両速度測定装置１１３から出力される速度データ、ブレーキ油圧測定装置１１２から出力される警報信号に基づき、ブレーキオイルの油圧が規定の圧力より低くなっているとき、これを運転者に知らせる表示パネル装置１１４とを備えている。
【０００６】
そして、ブレーキ油圧測定装置１１２からブレーキオイルの油圧が規定の圧力より低くなっていることを示す警報信号が出力されたとき、表示パネル装置１１４によって、ブザーから警告音を出して、運転者に注意を促しながら、警告ランプを点灯させて、ブレーキオイルの油圧が規定の圧力より低くなっていることを知らせる。この後、車両速度測定装置１１３から出力される速度データの値が所定の値以下になるまで、停止ランプや減速ランプを点灯させて、運転者に減速操作を行なわせる。
【０００７】
また、図９に示す警報表示システム１２１は、車両のエンジンに設けられた水温センサなどから出力される検出信号を取り込んでエンジン冷却水の温度が規定値より高くなったとき、エンジン冷却水異常を示す警報信号を発生するエンジン冷却水測定装置１２２と、車両の速度を測定して速度データを出力する車両速度測定装置１２３と、この車両速度測定装置１２３から出力される速度データ、エンジン冷却水測定装置１２２から出力される警報信号に基づき、エンジン冷却水の温度が規定の温度より高くなっているとき、これを運転者に知らせる表示パネル装置１２４とを備えている。
【０００８】
そして、エンジン冷却水測定装置１２２からエンジン冷却水が規定温度より高くなっていることを示す警報信号が出力されたとき、表示パネル装置１２４によって、ブザーから警告音を出して、運転者に注意を促しながら、警告ランプを点灯させて、エンジン冷却水が規定温度より、高くなっていることを知らせる。この後、車両速度測定装置１２３から出力される速度データの値が所定の値以下になるまで、停止ランプや減速ランプを点灯させて、運転者に減速操作を行なわせる。
【０００９】
【発明が解決しようとする課題】
しかしながら、上述した従来の警報表示システムにおいては、次に述べるような問題があった。
【００１０】
まず、図７に示す警報表示システム１０１では、エンジン冷却水の水量が規定の水量より低くなったとき、警告音を発生するとともに、警告ランプを点灯させて、エンジン冷却水の水量が規定の水量より、低くなったことを知らせるとともに、停止ランプや減速ランプを点灯させて、運転者に減速操作を行なわせるようにしているので、警告音が出て、警告ランプ、停止ランプ、減速ランプが点灯したとき、マニュアルの内容を詳細に理解していない運転者が適切な対処を行なうことができずに、エンジンに重大な故障が発生してしまう恐れがあった。
【００１１】
また、図８に示す警報表示システム１１１でも、ブレーキオイルの油圧が規定の油圧より低くなったとき、警告音を発生するとともに、警告ランプを点灯させて、ブレーキオイルの油圧が規定の油圧より、低くなったことを知らせるとともに、停止ランプや減速ランプを点灯させて、運転者に減速操作を行なわせるようにしているので、図７に示す警報表示システム１０１と同様に、警告音が出て、警告ランプ、停止ランプ、減速ランプが点灯したとき、マニュアルの内容を詳細に理解していない運転者が適切な対処を行なうことができずに、衝突など、重大な事故が発生してしまう恐れがあった。
【００１２】
また、図９に示す警報表示システム１２１では、エンジン冷却水の温度が規定の温度より高くなったとき、警告音を発生するとともに、警告ランプを点灯させて、エンジン冷却水の温度が規定の温度より、高くなったことを知らせるとともに、停止ランプや減速ランプを点灯させて、運転者に減速操作を行なわせるようにしているので、図７に示す警報表示システム１０１や図８に示す警報表示システム１１１と同様に、警告音が出て、警告ランプ、停止ランプ、減速ランプが点灯したとき、マニュアルの内容を詳細に理解していない運転者が適切な対処を行なうことができずに、エンジンに重大な故障が発生してしまう恐れがあった。
【００１３】
本発明は上記の事情に鑑み、車両の運転に支障をきたす、何らかの異常が発生したとき、異常の内容や対処手順などをテキスト形式で、運転者などに知らせることができ、これによって運転者に適切な対処を行なわせて、エンジントラブルが発生したり、衝突などの事故が発生したりするのを未然に防止することができる警報表示システムを提供することを目的としている。
【００１４】
【課題を解決するための手段】
上記の目的を達成するために本発明は、請求項１では、車両に設けられた異常検知装置から警告信号が出力されたとき、車両速度測定装置から出力される車両速度信号、エンジン状態監視装置から出力されるエンジン状況信号に基づき、車両の走行速度、エンジンの回転有無を判定する走行状況判定部と、この走行状況判定部の判定結果に基づき、車両の走行速度、エンジンの回転有無に対応した最適な対処メッセージを作成してテキスト形式で前記警告信号の内容と共に表示させる対処メッセージ作成部とを備えたことを特徴としている。
【００１５】
また、請求項２では、請求項１に記載の警報表示システムにおいて、前記走行状況判定部は、車両に設けられたエンジン冷却水の水量が規定の水量より低下し、エンジン冷却水測定装置から警告信号が出力されたとき、車両速度測定装置から出力される車両速度信号、エンジン状態監視装置から出力されるエンジン状況信号に基づき、車両の走行速度、エンジンの回転有無を判定し、前記対処メッセージ作成部は、前記走行状況判定部の判定結果に基づき、車両の走行速度が規定の速度より高い場合、低い場合またはエンジンが停止している場合に応じて段階的に対処メッセージを変更することを特徴としている。
【００１６】
また、請求項３では、請求項１に記載の警報表示システムにおいて、前記走行状況判定部は、車両に設けられたブレーキオイルの油圧が規定の油圧より低下し、ブレーキ油圧測定装置から警告信号が出力されたとき、車両速度測定装置から出力される車両速度信号、エンジン状態監視装置から出力されるエンジン状況信号に基づき、車両の走行速度、エンジンの回転有無を判定し、前記対処メッセージ作成部は、前記走行状況判定部の判定結果に基づき、車両の走行速度が規定の速度より高い場合、低い場合またはエンジンが停止している場合に応じて段階的に対処メッセージを変更することを特徴としている。
【００１７】
また、請求項４では、請求項１に記載の警報表示システムにおいて、前記走行状況判定部は、車両に設けられたエンジン冷却水の水温が規定の水温より高くなり、エンジン冷却水測定装置から警告信号が出力されたとき、車両速度測定装置から出力される車両速度信号、エンジン状態監視装置から出力されるエンジン状況信号に基づき、車両の走行速度、エンジンの回転有無を判定し、前記対処メッセージ作成部は、前記走行状況判定部の判定結果に基づき、車両の走行速度が規定の速度より高い場合、低い場合またはエンジンが停止している場合に応じて段階的に対処メッセージを変更することを特徴としている。
【００１８】
上記の構成において、請求項１では、異常検知装置から警告信号が出力されたとき、走行状況判定部では、車両速度測定装置から出力される車両速度信号、エンジン状態監視装置から出力されるエンジン状況信号に基づき、車両の走行速度、エンジンの回転有無を判定する。対処メッセージ作成部では、走行状況判定部の判定結果に基づき、車両の走行速度、エンジンの回転有無に対応した最適な対処メッセージを作成して前記警告信号の内容と共に表示させる。これにより、車両の運転に支障をきたす何らかの異常が発生したとき、異常の内容や対処手順などをテキスト形式で運転者などに知らせて適切な対処を行なわせ、エンジントラブルが発生したり、衝突などの事故が発生したりするのを防止する。
【００１９】
また、請求項２では、エンジン冷却水の水量が規定の水量より低くなったとき、これをテキスト形式で運転者に知らせるとともに、異常な状態に対し、どのような手順でどのような操作を行なうべきかをテキスト形式で知らせ、これによって運転者に適切な対処を行なわせて、エンジントラブルなどが発生するのを未然に防止する。
【００２０】
また、請求項３では、ブレーキオイルの油圧が規定の油圧より低くなったとき、これをテキスト形式で運転者に知らせるとともに、異常な状態に対し、どのような手順でどのような操作を行なうべきかを車両の走行速度が規定の速度より高い場合、低い場合またはエンジンが停止している場合に応じて段階的にテキスト形式で知らせ、これによって運転者に適切な対処を行なわせて、衝突などの事故が発生するのを未然に防止する。
【００２１】
また、請求項４では、エンジン冷却水の温度が規定の温度より高くなったとき、これをテキスト形式で運転者に知らせるとともに、異常な状態に対し、どのような手順でどのような操作を行なうべきかを車両の走行速度が規定の速度より高い場合、低い場合またはエンジンが停止している場合に応じて段階的にテキスト形式で知らせ、これによって運転者に適切な対処を行なわせて、エンジントラブルなどが発生するのを未然に防止する。
【００２２】
【発明の実施の形態】
図１は本発明による警報表示システムのうち、請求項１、２に対応する警報表示システムの実施の形態を示すブロック図である。
【００２３】
この図に示す警報表示システム１は、車両のエンジンに設けられた水量センサなどから出力される検出信号を取り込んでエンジン冷却水の水量が規定値より低くなったとき、エンジン冷却水異常を示す警報信号を発生するエンジン冷却水測定装置２と、車両の速度を測定して速度データを出力する車両速度測定装置３と、エンジンの回転数などを監視し、この監視結果を出力するエンジン状態監視装置４と、複数のメータ５、複数の表示器６およびメッセージ表示器７などを有し、エンジン冷却水測定装置２から警報信号が出力されているとき、予め登録されている警告メッセージのうち、エンジン冷却水の水量が規定値より低くなっていることを示す警告メッセージを表示するとともに、予め登録されている各対処メッセージのうち、車両速度測定装置３から出力される速度データ、エンジン状態監視装置４から出力される監視結果に応じた対処メッセージを選択して、表示する表示パネル装置８とを備えている。
【００２４】
そして、図２のフローチャートに示すように、エンジン冷却水測定装置２からエンジン冷却水の水量が規定の水量より低くなっていることを示す警報信号が出力されたとき（ステップＳＴ１）、表示パネル装置８によって、車両速度測定装置３から出力される速度データを取り込んで、車両の速度が安全を確保することができる安全速度（例えば、８ｋｍ／ｈ）より遅いかどうかをチェックし、車両の速度が安全速度より速いとき（ステップＳＴ２）、予め登録されているテキスト形式の警告メッセージ、対処メッセージの中から、“エンジン冷却水低下、速度を落とせ”という警告メッセージ、対処メッセージを選択して、これをメッセージ表示器７上に表示させる（ステップＳＴ３）。
【００２５】
また、車両の速度が安全速度より遅ければ（ステップＳＴ２）、表示パネル装置８によって、エンジン状態監視装置４から出力される監視結果に基づき、車両のエンジンが回転しているかどうかをチェックし、エンジンが回転しているとき（ステップＳＴ４）、予め登録されているテキスト形式の警告メッセージ、対処メッセージの中から、“エンジン冷却水低下、エンジンを止める”という警告メッセージ、対処メッセージを選択して、これをメッセージ表示器７上に表示させる（ステップＳＴ５）。
【００２６】
この後、エンジンの回転が止められたとき（ステップＳＴ４）、表示パネル装置８によって、予め登録されているテキスト形式の警告メッセージ、対処メッセージの中から、“エンジン冷却水低下、水温低下を確認して冷却水を補充する”という警告メッセージ、対処メッセージを選択して、これをメッセージ表示器７上に表示させる（ステップＳＴ６）。
【００２７】
このようにこの実施の形態では、エンジン冷却水測定装置２からエンジン冷却水の水量が規定の水量より低くなっていることを示す警報信号が出力されたとき、表示パネル装置８によって、車両速度測定装置３から出力される速度データ、エンジン状態監視装置４から出力される監視結果に基づき、車両の走行速度、エンジンの回転有無に応じた最適な警告メッセージ、対処メッセージを作成し、これをメッセージ表示器７上に表示させるようにしているので、車両の運転に支障をきたす、エンジン冷却水の水量異常が発生したとき、これをテキスト形式で運転者に知らせるとともに、水量異常に対し、どのような手順でどうのような操作を行なうべきかをテキスト形式で、運転者に知らせ、これによって運転者に適切な対処を行なわせて、エンジントラブルなどが発生するのを未然に防止することができる。
【００２８】
また、この実施の形態では、１つのメッセージ表示器７上に、警告内容と、対処内容とを短いテキスト形式で表示するようにしているので、運転者がメッセージ表示器を一瞥しただけで、警告内容と、対処内容とを読み取らせて、これらを理解させることができ、これによって運転時の安全性を確保することができる。
【００２９】
図３は本発明による警報表示システムのうち、請求項１、３に対応する警報表示システムの一実施の形態を示すブロック図である。
【００３０】
この図に示す警報表示システム１１は、車両のブレーキ装置に設けられた油圧センサなどから出力される検出信号を取り込んでブレーキオイルの圧力が規定値より低くなったとき、ブレーキ油圧異常を示す警報信号を発生するブレーキ油圧測定装置１２と、車両の速度を測定して速度データを出力する車両速度測定装置１３と、エンジンの回転数などを監視し、この監視結果を出力するエンジン状態監視装置１４と、複数のメータ１５、複数の表示器１６およびメッセージ表示器１７などを有し、ブレーキ油圧測定装置１２から警報信号が出力されているとき、予め登録されている警告メッセージのうち、ブレーキオイルの圧力が規定値より低くなっていることを示す警告メッセージを表示するとともに、予め登録されている各対処メッセージのうち、車両速度測定装置１３から出力される速度データ、エンジン状態監視装置１４から出力される監視結果に応じた対処メッセージを選択して、表示する表示パネル装置１８とを備えている。
【００３１】
そして、図４のフローチャートに示すように、ブレーキ油圧測定装置１２からブレーキオイルの圧力が規定値より低くなっていることを示す警報信号が出力されたとき（ステップＳＴ１１）、表示パネル装置１８によって、車両速度測定装置１３から出力される速度データを取り込んで、車両の速度が安全を確保することができる安全速度（例えば、８ｋｍ／ｈ）より遅いかどうかをチェックし、車両の速度が安全速度より速いとき（ステップＳＴ１２）、予め登録されているテキスト形式の警告メッセージ、対処メッセージの中から、“ブレーキ油圧低下、速度を落とせ”という警告メッセージ、対処メッセージを選択して、これをメッセージ表示器１７上に表示させる（ステップＳＴ１３）。
【００３２】
また、車両の速度が安全速度より遅ければ（ステップＳＴ１２）、表示パネル装置１８によって、エンジン状態監視装置１４から出力される監視結果に基づき、車両のエンジンが回転しているかどうかをチェックし、エンジンが回転しているとき（ステップＳＴ１４）、予め登録されているテキスト形式の警告メッセージ、対処メッセージの中から、“ブレーキ油圧低下、エンジンを止める”という警告メッセージ、対処メッセージを選択して、これをメッセージ表示器１７上に表示させる（ステップＳＴ１５）。
【００３３】
この後、エンジンの回転が止められたとき（ステップＳＴ１４）、表示パネル装置１８によって、予め登録されているテキスト形式の警告メッセージ、対処メッセージの中から、“ブレーキ油圧低下、ブレーキオイルを補充する”という警告メッセージ、対処メッセージを選択して、これをメッセージ表示器１７上に表示させる（ステップＳＴ１６）。
【００３４】
このようにこの実施の形態では、ブレーキ油圧測定装置１２からブレーキオイルの圧力が規定値より低くなっていることを示す警報信号が出力されたとき、表示パネル装置１８によって、車両速度測定装置１３から出力される速度データ、エンジン状態監視装置１４から出力される監視結果に基づき、車両の走行速度、エンジンの回転有無に応じた最適な警告メッセージ、対処メッセージを作成し、これをメッセージ表示器１７上に表示させるようにしているので、車両の運転に支障をきたす、ブレーキオイルの油圧異常が発生したとき、これをテキスト形式で運転者に知らせるとともに、油圧異常に対し、どのような手順でどうのような操作を行なうべきかをテキスト形式で、運転者に知らせ、これによって運転者に適切な対処を行なわせて、衝突事故などが発生するのを未然に防止することができる。
【００３５】
また、この実施の形態では、１つのメッセージ表示器１７上に、警告内容と、対処内容とを短いテキスト形式で表示するようにしているので、運転者がメッセージ表示器を一瞥しただけで、警告内容と、対処内容とを読み取らせて、これらを理解させることができ、これによって運転時の安全性を確保することができる。
【００３６】
図５は本発明による警報表示システムのうち、請求項１、４に対応する警報表示システムの一実施の形態を示すブロック図である。
【００３７】
この図に示す警報表示システム２１は、車両のエンジンに設けられた水温センサなどから出力される検出信号を取り込んでエンジン冷却水の水温が規定値より高くなったとき、エンジン冷却水異常を示す警報信号を発生するエンジン冷却水測定装置２２と、車両の速度を測定して速度データを出力する車両速度測定装置２３と、エンジンの回転数などを監視し、この監視結果を出力するエンジン状態監視装置２４と、複数のメータ２５、複数の表示器２６およびメッセージ表示器２７などを有し、エンジン冷却水測定装置２２から警報信号が出力されているとき、予め登録されている警告メッセージのうち、エンジン冷却水の水温が規定値より高くなっていることを示す警告メッセージを表示するとともに、予め登録されている各対処メッセージのうち、車両速度測定装置２３から出力される速度データ、エンジン状態監視装置２４から出力される監視結果に応じた対処メッセージを選択して、表示する表示パネル装置２８とを備えている。
【００３８】
そして、図６のフローチャートに示すように、エンジン冷却水測定装置２２からエンジン冷却水の水温が規定の水温より高くなっていることを示す警報信号が出力されたとき（ステップＳＴ２１）、表示パネル装置２８によって、車両速度測定装置２３から出力される速度データを取り込んで、車両の速度が安全を確保することができる安全速度（例えば、８ｋｍ／ｈ）より遅いかどうかをチェックし、車両の速度が安全速度より速いとき（ステップＳＴ２２）、予め登録されているテキスト形式の警告メッセージ、対処メッセージの中から、“エンジン冷却水高温、速度を落とせ”という警告メッセージ、対処メッセージを選択して、これをメッセージ表示器２７上に表示させる（ステップＳＴ２３）。
【００３９】
また、車両の速度が安全速度より遅ければ（ステップＳＴ２２）、表示パネル装置２８によって、エンジン状態監視装置２４から出力される監視結果に基づき、車両のエンジンが回転しているかどうかをチェックし、エンジンが回転しているとき（ステップＳＴ２４）、予め登録されているテキスト形式の警告メッセージ、対処メッセージの中から、“エンジン冷却水高温、エンジンを止める”という警告メッセージ、対処メッセージを選択して、これをメッセージ表示器２７上に表示させる（ステップＳＴ２５）。
【００４０】
この後、エンジンの回転が止められたとき（ステップＳＴ２４）、表示パネル装置２８によって、予め登録されているテキスト形式の警告メッセージ、対処メッセージの中から、“エンジン冷却水高温、水温が低下するまで待機”という警告メッセージ、対処メッセージを選択して、これをメッセージ表示器２７上に表示させる（ステップＳＴ２６）。
【００４１】
このようにこの実施の形態では、エンジン冷却水測定装置２２からエンジン冷却水の水温が規定の水温水量より高くなっていることを示す警報信号が出力されたとき、表示パネル装置２８によって、車両速度測定装置２３から出力される速度データ、エンジン状態監視装置２４から出力される監視結果に基づき、車両の走行速度、エンジンの回転有無に応じた最適な警告メッセージ、対処メッセージを作成し、これをメッセージ表示器２７上に表示させるようにしているので、車両の運転に支障をきたす、エンジン冷却水の水量異常が発生したとき、これをテキスト形式で運転者に知らせるとともに、水量異常に対し、どのような手順でどうのような操作を行なうべきかをテキスト形式で、運転者に知らせ、これによって運転者に適切な対処を行なわせて、エンジントラブルなどが発生するのを未然に防止することができる。
【００４２】
また、この実施の形態では、１つのメッセージ表示器２７上に、警告内容と、対処内容とを短いテキスト形式で表示するようにしているので、運転者がメッセージ表示器を一瞥しただけで、警告内容と、対処内容とを読み取らせて、これらを理解させることができ、これによって運転時の安全性を確保することができる。
【００４３】
【発明の効果】
以上説明したように本発明によれば、請求項１の警報表示システムでは、車両の運転に支障をきたす何らかの異常が発生したとき、異常の内容や対処手順などをテキスト形式で運転者などに知らせることができ、これによって運転者に適切な対処を行なわせて、エンジントラブルが発生したり、衝突などの事故が発生するのを防止することができる。
【００４４】
また、請求項２の警報表示システムでは、エンジン冷却水の水量が規定の水量より低くなったとき、これをテキスト形式で運転者に知らせるとともに、異常な状態に対し、どのような手順でどのような操作を行なうべきかをテキスト形式で運転者に知らせ、これによって運転者に適切な対処を行なわせて、エンジントラブルなどが発生するのを未然に防止することができる。
【００４５】
また、請求項３の警報表示システムでは、ブレーキオイルの油圧が規定の油圧より低くなったとき、これをテキスト形式で運転者に知らせるとともに、異常な状態に対し、どのような手順でどのような操作を行なうべきかをテキスト形式で運転者に知らせて、これによって運転者に適切な対処を行なわせて、衝突などの事故が発生するのを未然に防止することができる。
【００４６】
また、請求項４の警報表示システムでは、エンジン冷却水の温度が規定の温度より高くなったとき、これをテキスト形式で運転者に知らせるとともに、異常な状態に対し、どのような手順でどのような操作を行なうべきかをテキスト形式で運転者に知らせることができ、これによって運転者に適切な対処を行なわせて、エンジントラブルなどが発生するのを未然に防止することができる。
【図面の簡単な説明】
【図１】本発明による警報表示システムのうち、請求項１、２に対応する警報表示システムの実施の形態を示すブロック図である。
【図２】図１に示す警報表示システムの動作例を示すフローチャートである。
【図３】本発明による警報表示システムのうち、請求項１、３に対応する警報表示システムの実施の形態を示すブロック図である。
【図４】図３に示す警報表示システムの動作例を示すフローチャートである。
【図５】本発明による警報表示システムのうち、請求項１、４に対応する警報表示システムの実施の形態を示すブロック図である。
【図６】図５に示す警報表示システムの動作例を示すフローチャートである。
【図７】従来から知られている警報表示システムの一例を示すブロック図である。
【図８】従来から知られている警報表示システムの他の一例を示すブロック図である。
【図９】従来から知られている警報表示システムの他の一例を示すブロック図である。
【符号の説明】
１、１１、２１：警報表示システム
２、２２：エンジン冷却水測定装置（異常検知装置）
３、１３、２３：車両速度測定装置（測定装置）
４、１４、２４：エンジン状態監視装置（測定装置）
５、１５、２５：メータ
６、１６、２６：表示器
７、１７、２７：メッセージ表示器
８、１８、２８：表示パネル装置（走行状況判定部、対処メッセージ作成部）
１２：ブレーキ油圧測定装置（異常検知装置）
【図１】
0003624087.tif 000002
【図２】
0003624087.tif 000003
【図３】
0003624087.tif 000004
【図４】
0003624087.tif 000005
【図５】
0003624087.tif 000006
【図６】
0003624087.tif 000007
【図７】
0003624087.tif 000008
【図８】
0003624087.tif 000009
【図９】
0003624087.tif 000010